(57)【要約】【課題】従来の筒型の体躯圧迫用サポーターは十分な圧迫力を腕、下腿部等の体躯に与えることができたが、装着部位の体液の循環を阻害せずに長い時間に亘って装着することができなかった。また、日常動作にも不便を来していた。【解決手段】円環状に巻き癖が付与された弾性帯状部材５と、弾性帯状部材５の内側の長手方向両端側に設けられたクッション部材１５、１５とを備え、弾性帯状部材５が円弧状をなした状態で被装着部を緊縛する。弾性帯状部材５は３枚の板バネ材７、９、１１が積層され一体になったもので構成されている。装着すると、弾性帯状部材５が上腕部に対して弾性的に圧接するので、適度な圧迫力を与え、しかも体躯圧迫用サポーター１は腕回り全体を覆うことはない。従って、装着部位の体液の循環を阻害せず、しかも、装着前より関節部の可動範囲は広くなり、関節部の動作がスムーズになっている。【選択図】        図５
2010184105.tif 000002
【特許請求の範囲】
【請求項１】
円環状に巻き癖が付与された弾性帯状部材と、前記弾性帯状部材の内側の長手方向両端側に設けられたクッション部材とを備え、前記弾性帯状部材が円弧状をなした状態で被装着部を緊縛することを特徴とする体躯圧迫用サポーター。
【請求項２】
請求項１に記載した体躯圧迫用サポーターにおいて、複数の弾性帯状部材が長手方向に伸縮自在に連結され、被装着部に対応した長さに調整できることを特徴とする体躯圧迫用サポーター。
【請求項３】
請求項１または２に記載した体躯圧迫用サポーターにおいて、弾性帯状部材は幅方向における中央部分が内側に向かって膨出するように反り癖が付与されていることを特徴とする体躯圧迫用サポーター。
【請求項４】
請求項１から３のいずれかに記載した体躯圧迫用サポーターにおいて、弾性帯状部材が板バネ材で構成されていることを特徴とする体躯圧迫用サポーター。
【請求項５】
請求項１から４のいずれかに記載した体躯圧迫用サポーターにおいて、弾性帯状部材は複数の板バネ材が積層されたもので構成されていることを特徴とする体躯圧迫用サポーター。
【発明の詳細な説明】
【技術分野】
【０００１】
本発明は、体躯圧迫用サポーターに係り、特に、腕、下腿部など緊縛して圧迫力を与える体躯圧迫用サポーターに関するものである。
【背景技術】
【０００２】
従来の体躯圧迫用サポーターは、腕、下腿部等に装着してその部位を圧迫すると共にその近傍の関節部の動作を制限することでそこの筋肉や腱に掛かる負担を軽減することが意図されている。
そして、従来の体躯圧迫用サポーターとして典型的なものは、特許文献１に示すように、軟質生地の帯状部材を腕等に巻き回して装着する帯状サポーターである。
【先行技術文献】
【特許文献】
【０００３】
【特許文献１】実開昭６２−１５７５２３号公報
【発明の概要】
【発明が解決しようとする課題】
【０００４】
従来の帯状サポーターでも腕等に装着すれば、十分な圧迫力を与えることができる。
しかしながら、従来の帯状サポーターは、装着部位の体液の循環を阻害するので、長い時間に亘って装着することはできない。
また、上記したように関節部の動作が制限されてしまうため、特に高齢者の場合には加齢により関節が動き難くなっていることから、日常動作にも多大な不便を来す。
而して、本発明者は、関節部の動作を積極的にスムーズにすることで装着者に積極的に運動を促すことが却って回復に好ましいと考えている。
それ故、本発明は、上記課題を解決するために、十分な圧迫力を腕、下腿部等の体躯に与えながら、関節部の動作を積極的にスムーズにした状態で長い時間にわたって快適に装着することができる体躯圧迫用サポーターを提供することを目的とする。
【課題を解決するための手段】
【０００５】
上記課題を解決するために、請求項１の発明は、円環状に巻き癖が付与された弾性帯状部材と、前記弾性帯状部材の内側の長手方向両端側に設けられたクッション部材とを備え、前記弾性帯状部材が円弧状をなした状態で被装着部を緊縛することを特徴とする体躯圧迫用サポーターである。
【０００６】
請求項２の発明は、請求項１に記載した体躯圧迫用サポーターにおいて、複数の弾性帯状部材が長手方向に伸縮自在に連結され、被装着部に対応した長さに調整できることを特徴とする体躯圧迫用サポーターである。
【０００７】
請求項３の発明は、請求項１または２に記載した体躯圧迫用サポーターにおいて、弾性帯状部材は幅方向における中央部分が内側に向かって膨出するように反り癖が付与されていることを特徴とする体躯圧迫用サポーターである。
【０００８】
請求項４の発明は、請求項１から３のいずれかに記載した体躯圧迫用サポーターにおいて、弾性帯状部材が板バネ材で構成されていることを特徴とする体躯圧迫用サポーターである。
【０００９】
請求項５の発明は、請求項１から４のいずれかに記載した体躯圧迫用サポーターにおいて、弾性帯状部材は複数の板バネ材が積層されたもので構成されていることを特徴とする体躯圧迫用サポーターである。
【発明の効果】
【００１０】
本発明の体躯圧迫用サポーターは、十分な圧迫力を腕、下腿部等の体躯に与えながら、関節部の動作を積極的にスムーズにした状態で長い時間にわたって快適に装着することができる。
【図面の簡単な説明】
【００１１】
【図１】本発明の第１の実施の形態に係る体躯圧迫用サポーターの全体斜視図である。
【図２】図１の体躯圧迫用サポーターから包帯を取った部分の直状態の説明図である。
【図３】図２の分解斜視図である。
【図４】図２から湾曲変形した状態の説明図である。
【図５】図１の体躯圧迫用サポーターの使用状態の説明図である。
【図６】本発明の第２の実施の形態に係る体躯圧迫用サポーターから包帯を取った部分の直状態の説明図である。
【図７】図６から湾曲変形した状態の説明図である。
【発明を実施するための形態】
【００１２】
本発明の第１の実施の形態に係る体躯圧迫用サポーター１を、図１から図５に従って説明する。
図１に示す体躯圧迫用サポーター１は上腕部用のものである。体躯圧迫用サポーター１は全体として帯状に形成されており、長手方向の寸法は上腕部の腕回り寸法より短くなるように設定されている。体躯圧迫用サポーター１はカバー材としての包帯３が巻き回されて内部がカバーされている。
【００１３】
図２、図３は体躯圧迫用サポーター１から包帯３を取り外したものを示す。
符号５は弾性帯状部材を示し、この弾性帯状部材５は帯状の金属製の板バネ材７、９、１１によって構成されている。板バネ材７と板バネ材９は同じ寸法のものである。板バネ材７、９と板バネ材１１は板厚の寸法は同じであるが、板バネ材７、９は板バネ材１１より幅寸法が若干長い。また、板バネ材７、９は板バネ材１１より長手寸法が長くなっている。板バネ材７の下側に板バネ材９が重ねられ、その下側に板バネ材１１が重ねられており、三層状態で一体になっている。板バネ材７、９の長手方向両側は板バネ材１１の長手方向両端部から同じだけ延び出ている。
【００１４】
弾性帯状部材５には、図２（Ａ）に示すように、幅方向における中央部分が上方に向かって膨出するように、反り癖が付与されており、図２（Ｂ）に示すように断面凸状態になっている。
また、弾性帯状部材５には円環状に回曲されており、板バネ材７の上面１３が内側になって丸まろうとする巻き癖が付与されている。
弾性帯状部材５は回曲されたときにはリング状になっており、いわゆる閉曲線を構成している。
【００１５】
従って、弾性帯状部材５は、図２（Ａ）に示すよう平らに、すなわち直状態に引き延ばされているときには、図２（Ｂ）に示すように、断面凸状態が現出している。一方、図４（Ｂ）に示すように、外力により断面凸状態が崩れて断面平ら状態になると、図４（Ａ）に示すように、弾性帯状部材５の全体が円環状に湾曲変形する。そして、弾性帯状部材５の長手方向の両端部を互いに離間する方向に引き延ばすと、図２（Ｂ）に示す断面凸状態が再現して、弾性帯状部材５の全体が図２（Ａ）に示す略直状態に戻る。
【００１６】
符号１５、１５は一対のクッション部材を示し、このクッション部材１５、１５は板バネ材７の上面１３に取付けられて一体になっている。クッション部材１５、１５は板バネ材７の長手方向の両端部に取付けられている。従って、クッション部材１５、１５と板バネ材７、９を挟んで対向する側には、板バネ材１１は欠落している。
【００１７】
図１の体躯圧迫用サポーター１は平らに引き延ばされた状態を示しており、中の弾性帯状部材５が図２（Ａ）、（Ｂ）に示す直状態になっている。また、弾性帯状部材５の長手方向両端上にはクッション部材１５、１５が取付けられており、その部分に対応して体躯圧迫用サポーター１の両端部が膨らんでいる。
【００１８】
次に、体躯圧迫用サポーター１の保管方法について説明する。
図１に示すように、体躯圧迫用サポーター１を長手方向に平らに延ばした状態にしておく。そして、体躯圧迫用サポーター１を複数上下に隙間無く積層させて保管する。このように保管できるので、保管スペースを大幅に節約できる。
【００１９】
次に、体躯圧迫用サポーター１の使用方法と効果について、図５にしたがって説明する。
体躯圧迫用サポーター１を上面１３が当接側、即ち内側になるようにして上腕部の適当な装着部位に当てた後、長手方向の一端側を巻き癖の方向に曲げる。曲げると、弾性帯状部材５の断面凸状態が速やかに崩れて断面平ら状態になり、弾性帯状部材５の全体が上腕部に巻き付く方向に円環状に湾曲変形する。従って、体躯圧迫用サポーター１が上腕部に巻き付いて装着される。体躯圧迫用サポーター１を上腕部から取り外す場合には、その長手方向の両端部を互いに離間する方向に引き延ばして拡径させながら手側に引き下ろして抜きとる。
【００２０】
装着すると、弾性帯状部材５が包帯３を介して上腕部に対して弾性的に圧接するので、上腕部に適度な圧迫力を与えることができる。その一方で、体躯圧迫用サポーター１の長手方向の寸法は腕回り寸法より短くなっているので、体躯圧迫用サポーター１は上腕部に円弧状に装着され、腕回り全体を覆うことはない。そのため、装着部位の体液の循環を阻害せずに済む。また、弾性帯状部材５は装着時にはリング状の一部に切欠きが有る状態になっており、らせん状にはなっていないので筋肉や腱に動作を阻害するような方向からの力は掛からず、装着前より、関節部の可動範囲は却って広くなって、関節部の動作がスムーズになっている。
【００２１】
弾性帯状部材５の長手方向両端部は板バネ材１１が欠落しているので、その余の部分より緊縛力が弱くなっている。体躯圧迫用サポーター１を上腕部から取り外す場合に、簡単に体躯圧迫用サポーターを拡径することができる。
また、弾性帯状部材５の長手方向両端部の内側にはクッション部材１５、１５が設けられている。そのため、弾性帯状部材５の長手方向両端部のエッジ部分が上腕部に当たることはない。さらに、包帯３で弾性帯状部材５全体が覆われて肌触りが柔らかくなっている。従って、長い時間にわたって快適に装着することができる。
【００２２】
本発明の第２の実施の形態に係る体躯圧迫用サポーター１７を、図６から図７に従って説明する。なお、視認の便宜のために、図６、図７ではカバー材が取り外された状態が示されている。
この体躯圧迫用サポーター１７において、弾性帯状部材１９は帯状の金属製の板バネ材２１、２３、２５が上側から配置されて構成されている。板バネ材２１、２３、２５は、幅方向における中央部分が上方に向かって膨出するように反り癖が付与されており、且つ、断面凸状態になっている。また、板バネ材２１、２３、２５は円環状に回曲されており、板バネ材２１の上面が内側になって丸まろうとする巻き癖が付与されている。
【００２３】
板バネ材２１、２３の幅方向両端部は折り曲げられて内方に屈曲されてそれぞれガイド部２２、２４が形成されている。そして、板バネ材２１のガイド部２２に板バネ材２３の幅方向両端部が遊嵌され、板バネ材２３のガイド部２４に板バネ材２５の幅方向両端部が遊嵌されて、板バネ材２１、２３、２５は長手方向に伸縮自在に連結されている。
従って、図７に示すように、適宜伸長させることで被装着部に対応した長さに調整できる。
この体躯圧迫用サポーター１７によれば、これ一つで種々の被装着部に対応できる。
【００２４】
以上、本発明の実施の形態について詳述してきたが、具体的構成は、上記実施の形態に限られるものではなく、本発明の要旨を逸脱しない範囲における設計の変更、材質の変更などがあっても発明に含まれる。
例えば、上記の実施の形態では、弾性帯状部材５は３枚の板バネ材７、９、１１が積層されて一体になったもので構成されているが、１枚の板バネ材で構成してもよい。
カバー材も包帯に限らない。また、カバー材に抗菌作用を持たせてもよい。また、プラスチックにセラミック粉末を混入させたようなものをカバー材として弾性帯状部材５を覆った状態で一体に成形してもよい。この場合には保温効果も期待できる。
いずれにしても、特許請求されている事項を除いては、本発明の範囲は限定されず、従来からあるまたは将来案出される形状、構造や素材を任意に組み合わせることができる。
【実施例】
【００２５】
本発明の体躯圧迫用サポーターをモニターに装着してもらい、以下のデータを得た。
患部が肩の場合には上腕部に巻き回して装着し、患部が首の場合には首の前側に長手方向の両端部がくるように巻き回して装着し、患部が膝の場合には下腿部に巻き回して装着した。
【００２６】
以下の表中、「使用感」は、装着後を「１０」とし、装着前の数値を官能評価により決めてもらった。
関節部の「可動範囲」における運動方向は、装着部が上腕部の場合には肩の外転方向であり、装着部が首の場合には首の後屈（伸展）方向であり、装着部が下腿部の場合には腹臥位での膝の屈曲方向になっている。
「その他」では、片方の足で立ち、装着した側のもう片方の足を膝を屈曲した状態で上げてもらったときの膝の高さ位置の変化を示している。
【００２７】
【表１】
2010184105.tif 000003
【００２８】
上記の表のデータから、本発明の体躯圧迫用サポーターを装着すると、関節部の可動範囲が拡大し、運動し易くなっていることが実証された。
【産業上の利用可能性】
【００２９】
本発明に係る体躯圧迫用サポーターを装着すれば、日常動作にも不便を来さず、回復も早くなるものと期待される。
【符号の説明】
【００３０】
１‥‥体躯圧迫用サポーター（第１の実施の形態）
３‥‥包帯                            ５‥‥弾性帯状部材
７、９、１１‥‥板バネ材              １３‥‥上面
１５、１５‥‥クッション部材
１７‥‥体躯圧迫用サポーター（第２の実施の形態）
１９‥‥弾性帯状部材                    ２１、２３、２５‥‥板バネ材
２２、２４‥‥ガイド部                  ２７‥‥クッション部材
【図１】
2010184105.tif 000004
【図２】
2010184105.tif 000005
【図３】
2010184105.tif 000006
【図４】
2010184105.tif 000007
【図５】
2010184105.tif 000008
【図６】
2010184105.tif 000009
【図７】
2010184105.tif 000010